(57)【要約】【課題】フレキシブルプリント基板先端部が斜めになるのを防止でき、それによって両コネクタ端子列の電気的接続を確実に維持できること。【解決手段】先端部にコネクタ端子列を有するフレキシブルプリント基板と、外部制御ユニットの回路基板側コネクタ端子列を内設したソケットと、フレキシブルプリント基板先端部をソケット内に挿入した状態にロックするためのロック部材とを備え、  さらに、両コネクタ端子列を電気的に接続させるためにフレキシブルプリント基板先端部をソケット内に挿入してからロック部材でロックするまで、フレキシブルプリント基板先端部をソケット内に一時的に保持する一時保持機構をソケットまたはフレキシブルプリント基板先端部に付設した光ピックアップ装置。【選択図】図２
2009064582.tif 000002
【特許請求の範囲】
【請求項１】
情報記録媒体から得られた情報信号を外部制御ユニットの回路基板に導き、情報の記録、再生を行う光ピックアップ装置であって、
先端部にコネクタ端子列を有するフレキシブルプリント基板と、外部制御ユニットの回路基板側コネクタ端子列を内設したソケットと、フレキシブルプリント基板先端部をソケット内に挿入した状態にロックするためのロック部材とを備え、
さらに、両コネクタ端子列を電気的に接続させるためにフレキシブルプリント基板先端部をソケット内に挿入してからロック部材でロックするまで、フレキシブルプリント基板先端部をソケット内に一時的に保持する一時保持機構をソケットまたはフレキシブルプリント基板先端部に付設したことを特徴とする光ピックアップ装置。
【請求項２】
一時保持機構は、ソケットに対向して内設された一対の折曲板バネと、フレキシブルプリント基板先端部に設けられ、該フレキシブルプリント基板先端部をソケット内に挿入したときに一対の折曲板バネの折曲部分にそれぞれ係合する一対の係合凹部とからなることを特徴とする請求項１に記載の光ピックアップ装置。
【請求項３】
一対の係合凹部は、フレキシブルプリント基板先端部の両側端に形成された一対の切欠部であることを特徴とする請求項２に記載の光ピックアップ装置。
【請求項４】
一時保持機構は、フレキシブルプリント基板先端部のコネクタ端子列裏面に付設され、フレキシブルプリント基板先端部をソケット内に挿入したときに該ソケットの内壁を弾性的に押圧する弾性部材であることを特徴とする請求項１記載の光ピックアップ装置。
【請求項５】
弾性部材は、少なくともソケット内壁を弾性的に押圧する部分の素材が、合成ゴムからなることを特徴とする請求項４に記載の光ピックアップ装置。
【請求項６】
ソケットは、外部制御ユニットの回路基板側コネクタ端子列を内設し、かつフレキシブルプリント基板先端部を差込むための差込用口を有することを特徴とする請求項１〜５のいずれか１つに記載の光ピックアップ装置。
【請求項７】
ロック部材が、フレキシブルプリント基板先端部の通過をガイドするためのガイド口を有し、ソケットの差込用口に対向して配置された枠部と、この枠部からソケット内に向って延びるロック部と、枠部から延びる一対の鉤状片と、枠部の押し込み操作によりフレキシブルプリント基板先端部をロック部で押圧しフレキシブルプリント基板先端部をソケット内にロック可能にソケットの胴壁に形成され、一対の鉤状片をそれぞれ係止させる一対の係止凹部とからなる請求項６に記載の光ピックアップ装置。
【請求項８】
請求項１〜７のいずれか１つに記載の光ピックアップ装置と、この光ピックアップ装置からの情報信号を処理する外部制御ユニットと、この外部制御ユニットからの制御信号により光ピックアップ装置および情報記録媒体を駆動する駆動装置とを備えた情報記録再生装置。
【発明の詳細な説明】
【技術分野】
【０００１】
本発明は、光ピックアップ装置に関し、さらに詳しくは、情報記録媒体から得られた情報信号を外部制御ユニットの回路基板に導き、情報の記録、再生を行う光ピックアップ装置に関する。
【背景技術】
【０００２】
従来の光ピックアップ装置は、その一例として、情報記録媒体から検出された光信号が電気信号へと変換され、フレキシブルプリント基板などを介し、外部制御ユニットへ導かれ、情報の再生・記録・消去やサーボ信号として利用される。そして、外部制御ユニットとフレキシブルプリント基板を接続するために、一般的には、コネクタなどのソケットが用いられる。
【０００３】
図６は従来の光ピックアップ装置の一部横断面図を含む要部説明図、図７は異なる状態を示す、一部を省略する図６相当図である。
図６において、光ピックアップ装置のソケット３３とフレキシブルプリント基板３１とを接続する手法として、フレキシブルプリント基板３１を、差込用口４４を介してソケット３３に挿入し、ロック部材３２を下降してロックするといった手法が取られていた。しかし、ソケット３３に挿入されたフレキシブルプリント基板３１は、薄い帯状であるため位置ずれしやすい構造となっている。従って、フレキシブルプリント基板３１を片手で保持しつつロック部材３２を下降するといった手法がとられていた。なお、４６は光ピックアップ装置の筐体、４７は外部制御ユニットの回路基板である。
【０００４】
上記形状の光ピックアップ装置では、差込用口４４を介しソケット３３に挿入されたフレキシブルプリント基板３１を片手で保持しつつロック部材３２を下降するため、作業は非常に困難であり、ソケット３３に対してフレキシブルプリント基板３１は斜めになりがちであった。そのため隣接パターン（コネクタ端子列、図示省略）とのショートや接触の不具合などの問題点があった。
【０００５】
具体的に文献には、ソケット（コネクタ）を有する基体（基板）に設けられたマーキングにより、フレキシブルプリント基板がソケットの正規の位置に挿入され、接続されたか否かを確認する手法が提案されている（特許文献１参照）。
しかしながらこの手法は、位置を確認することが目的であり、ソケットのロック部材を下降するまでの間はフレキシブルプリント基板を手で保持し続ける必要があり、作業性は非常に悪い。
【０００６】
さらに、工具によりフレキシブルプリント基板をソケットに挿入する手法が提案されている（特許文献２参照）。
しかしながらこの手法は、フレキシブルプリント基板が斜めに挿入されたか否かを確認することができないので、隣接パターンに接続し、ショートなどの不具合が発生してしまうといった難点がある上に、ソケットのロックを下降するまでの間は工具を手で保持し続ける必要があり、作業性は非常に悪い。
【特許文献１】特開平８−１４８７９２号公報
【特許文献２】実開平２−５８９９号公報
【発明の開示】
【発明が解決しようとする課題】
【０００７】
図６に示す形状の光ピックアップ装置では、差込用口４４を介しソケット３３に挿入されたフレキシブルプリント基板１を片手で保持しつつロック部材３２を下降させるため、作業は非常に困難であり、ソケット３３に対してフレキシブルプリント基板３１は斜めになりがちであった。そのため隣接パターンとのショートや接触の不具合などの問題点があった。
【課題を解決するための手段】
【０００８】
本発明は、情報記録媒体から得られた情報信号を外部制御ユニットの回路基板に導き、情報の記録、再生を行う光ピックアップ装置であって、
先端部にコネクタ端子列を有するフレキシブルプリント基板と、外部制御ユニットの回路基板側コネクタ端子列を内設したソケットと、フレキシブルプリント基板先端部をソケット内に挿入した状態にロックするためのロック部材とを備え、
さらに、両コネクタ端子列を電気的に接続させるためにフレキシブルプリント基板先端部をソケット内に挿入してからロック部材でロックするまで、フレキシブルプリント基板先端部をソケット内に一時的に保持する一時保持機構をソケットまたはフレキシブルプリント基板先端部に付設したことを特徴とする光ピックアップ装置を提供する。
【発明の効果】
【０００９】
すなわち、本発明に係る光ピックアップ装置は、両コネクタ端子列を電気的に接続させるためにフレキシブルプリント基板先端部をソケット内に挿入してからロック部材でロックするまで、フレキシブルプリント基板先端部をソケット内に一時的に保持する一時保持機構をソケットまたはフレキシブルプリント基板先端部に付設しているので、ロック部材でロックするまでの間、フレキシブルプリント基板先端部を一時保持でき、作業性および接続性を向上させることができる。
特に、フレキシブルプリント基板先端部の一時保持によって、先端部が斜めになるのを防止でき、それによって両コネクタ端子列の電気的接続を確実に維持できる。また、ソケットが狭い場所（手を入れにくい場所）にある場合でも、フレキシブルプリント基板先端部を手で保持する必要がないので、ロック部材の操作に集中でき、確実な電気的接続を確保できる。
【発明を実施するための最良の形態】
【００１０】
本発明は、情報記録媒体から得られた情報信号を外部制御ユニットの回路基板に導き、情報の記録、再生を行う光ピックアップ装置を対象とする。
そして、本発明に係る光ピックアップ装置は、先端部にコネクタ端子列を有するフレキシブルプリント基板と、外部制御ユニットの回路基板側コネクタ端子列を内設したソケットと、フレキシブルプリント基板先端部をソケット内に挿入した状態にロックするためのロック部材とを備え、
さらに、両コネクタ端子列を電気的に接続させるためにフレキシブルプリント基板先端部をソケット内に挿入してからロック部材でロックするまで、フレキシブルプリント基板先端部をソケット内に一時的に保持する一時保持機構をソケットまたはフレキシブルプリント基板先端部に付設したことを特徴とする。
【００１１】
本発明において、一時保持機構は、ソケットに対向して内設された一対の折曲板バネと、フレキシブルプリント基板先端部に設けられ、該フレキシブルプリント基板先端部をソケット内に挿入したときに一対の折曲板バネの折曲部分にそれぞれ係合する一対の係合凹部とからなると、フレキシブルプリント基板先端部をソケット内に挿入させたときに、その挿入動作に伴って一時保持が可能になるので好都合である。
ここで、一対の係合凹部として、例えば、フレキシブルプリント基板先端部の両側端に形成された一対の切欠部を挙げることができ、この場合、フレキシブルプリント基板先端部の傾きを効果的に防止できるので好ましい。
【００１２】
また、一時保持機構は、フレキシブルプリント基板先端部のコネクタ端子列裏面に付設され、フレキシブルプリント基板先端部をソケット内に挿入したときに該ソケットの内壁を弾性的に押圧する弾性部材であれば、フレキシブルプリント基板先端部をソケット内に挿入したときに、その挿入動作に伴って一時保持が可能になるので好都合であるが、さらに構成が極めて簡単であるのでより好ましい。
ここで、弾性部材は、少なくともソケット内壁を弾性的に押圧する部分の素材が、合成ゴム、天然ゴム、熱可塑性ゴムなどのゴム、特にスチレンーブタジエンゴム、ブチルゴム、ポリイソプレンゴムなどの合成ゴムが好ましいものとして挙げられる。
【００１３】
本発明において、ソケットは、外部制御ユニットの回路基板側コネクタ端子列を内設し、かつフレキシブルプリント基板先端部を差込むための差込用口（スリット、スリット長さ：3〜50ｍｍ、スリット間隙；0.1〜2ｍｍ）を有する。つまり、フレキシブルプリント基板先端部をソケットの差込用口を介して差込み、フレキシブルプリント基板先端部のコネクト端子列と外部制御ユニットの回路基板側コネクタ端子列とを電気的に接続させるわけである。
【００１４】
本発明において、ロック部材としては、フレキシブルプリント基板先端部の通過をガイドするためのガイド口（スリット、スリット長さ：3〜50ｍｍ、スリット間隙；0.1〜2ｍｍ）を有し、上記ソケットの差込用口に対向して配置された枠部と、この枠部からソケット内に向って延びるロック部と、枠部から延びる一対の鉤状片と、枠部の押し込み操作によりフレキシブルプリント基板先端部をロック部で押圧しフレキシブルプリント基板先端部をソケット内にロック可能にソケットの胴壁に形成され、一対の鉤状片をそれぞれ係止させる一対の係止凹部とからなる構成を好ましいものとして例示できる。
【００１５】
本発明は、別の観点によれば、上述の光ピックアップ装置と、この光ピックアップ装置からの情報信号を処理する外部制御ユニット（電子回路が基板にプリントされたもの）と、この外部制御ユニットからの制御信号により光ピックアップ装置および情報記録媒体（例えば、光ディスク：ＣＤ，ＤＶＤなど）を駆動する駆動装置とを備えた情報記録再生装置を提供できる。
【００１６】
次に、本発明に係る光ピックアップ装置の実施の形態について、図面を参照して説明する。
＜実施の形態１＞
図１は、本発明に係る光ピックアップ装置を搭載した情報記録再生装置を示すブロック図である。
図１において、情報記録再生装置Ｊは、光ピックアップ装置Ｈと、この光ピックアップ装置からの情報信号を処理する外部制御ユニットＧと、この外部制御ユニットからの制御信号により光ピックアップ装置Ｈおよび情報記録媒体としての光ディスクＤを駆動する駆動装置Ｋとを備えている。
ここで、光ピックアップ装置Ｈは、光ディスクＤから得られた情報信号を外部制御ユニットＧの回路基板に導き、情報の記録、再生を行う。
【００１７】
外部制御ユニットＧの回路基板には、例えば、再生信号処理部Ｇ１と、サーボ信号生成部Ｇ２と、サーボ信号処理部Ｇ３とを有し、再生信号処理部Ｇ１は、処理信号を、例えばバッファ部（図示省略、以下同様）、インターフェース部などを介して外部装置に送る。サーボ信号生成部Ｇ２は、生成信号をサーボ信号処理部Ｇ３へ送り、処理された信号は光ディスクＤおよび光ピックアップ装置Ｈを駆動するために駆動装置Ｋに送られる。
【００１８】
図２は本発明に係る光ピックアップ装置の一部横断面図を含む要部説明図、図３は異なる状態を示す、一部を省略する図２相当図である。
まず、図２において、光ピックアップ装置Ｈは、先端部にコネクタ端子列１８を有するフレキシブルプリント基板４と、ソケット６と、フレキシブルプリント基板先端部４ａをソケット６内に挿入した状態にロックするためのロック部材５とを備えている。
なお、８、８はフレキシブルプリント基板先端部４ａの両側端に形成された一対の係合凹部としての切欠部、１６は光ピックアップ装置Ｈの筐体、１７は外部制御ユニットＧの回路基板、２２は光ピックアップ装置Ｈに搭載された光学部品の一つである対物レンズである。
【００１９】
ソケット６は、外部制御ユニットＧの回路基板側コネクタ端子列１９を内設し、かつフレキシブルプリント基板先端部４ａを差込むための差込用口２３を有する。
ロック部材５は、フレキシブルプリント基板先端部４ａの通過をガイドするためのガイド口１５（スリット、スリット長さ：15ｍｍ、スリット間隙；0.2ｍｍ）を有し、ソケット６の差込用口２３に対向して配置された枠部２５と、この枠部からソケット６内に向って延びるロック部５ａと、枠部２５から延びる一対の鉤状片２６，２６と、枠部２５の押し込み操作によりフレキシブルプリント基板先端部４ａをロック部５ａで押圧し、フレキシブルプリント基板先端部４ａをソケット６内にロック可能にソケット６の胴壁に形成され、一対の鉤状片２６，２６をそれぞれ係止させる一対の係止凹部２７，２７とからなる。
【００２０】
さらに、コネクタ端子列１８と、コネクタ端子列１９とを電気的に接続させるためにフレキシブルプリント基板先端部４ａをソケット６内に挿入してからロック部材５でロックするまで、フレキシブルプリント基板先端部４ａをソケット６内に一時的に保持する一時保持機構を備えている。
この一時保持機構は、ソケット６に対向して内設された一対の折曲板バネ７，７と、フレキシブルプリント基板先端部４ａに設けられ、該フレキシブルプリント基板先端部４ａをソケット６内に挿入したときに一対の折曲板バネ７，７の折曲部分にそれぞれ係合する一対の係合凹部としての切欠部８，８（フレキシブルプリント基板先端部４ａの両側端に形成）とからなる。
【００２１】
従って、図２および３において、フレキシブルプリント基板先端部４ａをソケット６内に挿入したときに、フレキシブルプリント基板先端部４ａの切欠部８，８が折曲板バネ７，７に係合し、その挿入動作に伴って、フレキシブルプリント基板先端部４ａを、コネクタ端子列１８と、コネクト端子列１９とを電気的に接続させるためにフレキシブルプリント基板先端部４ａをソケット６内に挿入させてからロック部材５でロックするまで、ソケット６内に所定の方向に、かつ確実に一時保持できる。
【００２２】
このように、フレキシブルプリント基板先端部４ａの一時保持によって、該先端部４ａが斜めになるのを防止でき、それによって両コネクタ端子列１８、１９の電気的接続を確実に維持できる。また、ソケット６が狭い場所（手を入れにくい場所）にある場合でも、フレキシブルプリント基板先端部４ａを手で保持する必要がないので、ロック部材５の操作に集中でき、確実な電気的接続を確保できる。フレキシブルプリント基板先端部４ａは、確実にソケット６に挿入される上に、ロック部材５を下降させる時にはフレキシブルプリント基板４またはその先端部４ａを保持しなくてもよいため生産効率が向上する。
もちろん、フレキシブルプリント基板４と、外部制御ユニットＧの回路基板１７へ情報信号を導くためのソケット（コネクタソケット部）６との機械的接続を正確に行うことで、隣接するコネクタ端子列（パターン）への短絡を防止することができ、生産効率の良い光ピックアップ装置Ｈを実現することができる。
その後、ロック部材５を押し下げると、鉤状片２６、２６がソケット６の係止凹部２７，２７にそれぞれ係止し、フレキシブルプリント基板先端部４ａをソケット６内にロックする。すなわち、ロック部材５のロック部５ａは、フレキシブルプリント基板先端部４ａを押圧し、ソケット６内の壁に強く押し付けることによって、フレキシブルプリント基板先端部４ａをロックするわけである。
【００２３】
＜実施の形態２＞
図４は本発明に係る光ピックアップ装置の実施の形態２を示す、一部を省略し横断面図を含む要部説明図、図５は異なる状態を示す図４相当図である。
まず、図４において、光ピックアップ装置Ｈ２は、先端部にコネクタ端子列２０を有するフレキシブルプリント基板９と、ソケット１１と、フレキシブルプリント基板先端部９ａをソケット１１内に挿入した状態にロックするためのロック部材１０とを備えている。
【００２４】
ソケット１１は、外部制御ユニットＧの回路基板側コネクタ端子列２１を内設し、かつフレキシブルプリント基板先端部９ａを差込むための差込用口２４を有する。
ロック部材１０は、フレキシブルプリント基板先端部９ａの通過をガイドするためのガイド口１４（スリット、スリット長さ：15ｍｍ、スリット間隙；0.2ｍｍ）を有し、ソケット１１の差込用口２４に対向して配置された枠部２８と、この枠部からソケット１１内に向って延びるロック部１０ａと、枠部２８から延びる一対の鉤状片２９，２９と、枠部２８の押し込み操作によりフレキシブルプリント基板先端部９ａをロック部１０ａで押圧し、フレキシブルプリント基板先端部９ａをソケット１１内にロック可能にソケット１１の胴壁に形成され、一対の鉤状片２９，２９をそれぞれ係止させる一対の係止凹部３０、３０とからなる。
【００２５】
さらに、コネクタ端子列２０とコネクタ端子列２１とを電気的に接続させるためにフレキシブルプリント基板先端部９ａをソケット１１内に挿入させてからロック部材１０でロックするまで、フレキシブルプリント基板先端部９ａをソケット１１内に一時的に保持する一時保持機構を備えている。
この一時保持機構は、フレキシブルプリント基板先端部９ａのコネクタ端子列２０の裏面に付設され、フレキシブルプリント基板先端部９ａをソケット１１内に挿入したときに該ソケット１１の内壁を弾性的に押圧する弾性部材１３である。
弾性部材１３は、少なくともソケット１１内壁を弾性的に押圧する部分の素材が、合成ゴム（ポリブタジェンゴムなど）からなる。
【００２６】
従って、フレキシブルプリント基板先端部９ａをソケット１１内に挿入したときに、フレキシブルプリント基板先端部９ａのコネクタ端子列２０の裏面に付設された弾性部材１３がロック部１０ａに弾性的に接触する。このように、コネクタ端子列２０とコネクト端子列２１とを電気的に接続させるためにフレキシブルプリント基板先端部９ａをソケット１１内に挿入することによって、ロック部材１０でロックするまで、フレキシブルプリント基板先端部９ａをソケット１１内に所定の方向に、かつ確実に一時保持できる。
【００２７】
その後、ロック部材１０を押し下げると、鉤状片２９、２９がソケット１１の係止凹部３０，３０にそれぞれ係止し、フレキシブルプリント基板先端部９ａをソケット１１内にロックする。すなわち、ロック部材１０のロック部１０ａは、フレキシブルプリント基板先端部９ａを押圧し、ソケット１１内の壁に強く押し付けることによって、フレキシブルプリント基板先端部９ａをロックするわけである。
このように、フレキシブルプリント基板先端部９ａの一時保持によって、該先端部９ａが斜めになるのを防止でき、それによって両コネクタ端子列２０，２１の電気的接続を確実に維持できる。また、ソケット１１が狭い場所（手を入れにくい場所）にある場合でも、フレキシブルプリント基板先端部９ａを手で保持する必要がないので、ロック部材１０の操作に集中でき、確実な電気的接続を確保できる。フレキシブルプリント基板先端部９ａは、確実にソケット１１に挿入される上に、ロック部材１０を下降させる時にはフレキシブルプリント基板９またはその先端部９ａを保持しなくてもよいため生産効率が向上する。
【００２８】
もちろん、フレキシブルプリント基板９と、外部制御ユニットＧの回路基板（図示省略）へ情報信号を導くためのソケット（コネクタソケット部）１１との機械的接続を正確に行うことで、隣接するコネクタ端子列（パターン）への短絡を防止することができ、生産効率の良い光ピックアップ装置Ｈを実現することができる。
【図面の簡単な説明】
【００２９】
【図１】本発明に係る光ピックアップ装置を搭載した情報記録再生装置を示すブロック図である。
【図２】本発明に係る光ピックアップ装置の一部横断面図を含む要部説明図である。
【図３】異なる状態を示す、一部を省略する図２相当図である。
【図４】本発明に係る光ピックアップ装置の実施の形態２を示す、一部を省略し横断面図を含む要部説明図である。
【図５】異なる状態を示す図４相当図である。
【図６】従来の光ピックアップ装置の一部横断面図を含む要部説明図である。
【図７】異なる状態を示す、一部を省略する図６相当図である。
【符号の説明】
【００３０】
４……フレキシブルプリント基板
４ａ…フレキシブルプリント基板先端部
５……ロック部材
５ａ…ロック部
６……ソケット
７……折曲板バネ
８……切欠部
９……フレキシブルプリント基板
９ａ…フレキシブルプリント基板先端部
１０…ロック部材
１０a…ロック部
１１…ソケット
１２…差込用口
１３…弾性部材
１４…ガイド口
１５…ガイド口
１６…筐体
１７…外部制御ユニットの回路基板
１８…コネクタ端子列
１９…コネクタ端子列
２０…コネクタ端子列
２１…コネクタ端子列
２２…対物レンズ
２３…差込用口
２４…差込用口
２５…枠部
２６…鉤状片
２７…係止凹部
２８…枠部
２９…鉤状片
３０…係合凹部
Ｊ……情報記録再生装置
Ｈ……光ピックアップ装置
Ｇ……外部制御ユニット
Ｋ……駆動装置
Ｄ……光ディスク
【図１】
2009064582.tif 000003
【図２】
2009064582.tif 000004
【図３】
2009064582.tif 000005
【図４】
2009064582.tif 000006
【図５】
2009064582.tif 000007
【図６】
2009064582.tif 000008
【図７】
2009064582.tif 000009